(57)【要約】【課題】利用者の顔に合わせて十分な調整を行うことが可能であり、安全性が高く外観上も目立たない眼鏡フレームの支持具を提供する。【解決手段】支持具１は、眼鏡フレームのリム７ａ，７ｂにそれぞれ取り付けられる２本の支持腕１１ａ，１１ｂと、支持腕１１ａ，１１ｂの先端にそれぞれ装着された２個の鼻当てパット１５ａ，１５ｂとで構成される。支持腕１１ａ，１１ｂは、さらに交差箇所１４で互いに交差しているので、第１の屈曲部１２ａ，１２ｂおよび第２の屈曲部１３ａ，１３ｂの屈曲位置および屈曲角度を変化させることにより、利用者の顔における眼鏡フレームの位置を上下および奥行きに関して変化させることができる。【選択図】        図３
2004151158.tif 000002
【特許請求の範囲】
【請求項１】
眼鏡フレームを鼻に支持する支持具であって、眼鏡フレームに固定された２本の支持腕と、前記支持腕の先端に装着された鼻当てパットとを備え、前記２本の支持腕は、前記固定部と前記鼻当てパットとの間において互いに交差する交差箇所を有することを特徴とする眼鏡フレームの支持具。
【請求項２】
前記２本の支持腕は、それぞれ、前記固定部と前記交差箇所との間に、少なくとも１以上の屈曲部を有することを特徴とする請求項１記載の眼鏡フレームの支持具。
【請求項３】
前記２本の支持腕は、互いに離れた位置でそれぞれ前記フレームに固定されることを特徴とする請求項１または２記載の眼鏡フレームの支持具。
【請求項４】
前記眼鏡フレームのブリッジに取り付けられる台座を備え、前記２本の支持腕は、それぞれ、前記台座に固定されたことを特徴とする請求項１または２記載の眼鏡フレームの支持具。
【請求項５】
前記２本の支持腕は形状記憶合金であることを特徴とする請求項１から４のいずれかに記載の眼鏡フレームの支持具。
【請求項６】
前記２本の支持腕は形状記憶樹脂であることを特徴とする請求項１から４のいずれかに記載の眼鏡フレームの支持具。
【請求項７】
前記２本の支持腕のうち一方の前記支持腕は、前記交差箇所において凹状に屈曲する嵌合部を有し、他方の前記支持腕は、前記交差箇所において前記嵌合部に嵌め込まれたことを特徴とする請求項１から６のいずれかに記載の眼鏡フレームの支持具。
【請求項８】
前記２本の支持腕は、交差箇所において、一方の支持腕に開けられた孔に他方の支持腕が貫通するように形成されることを特徴とする請求項１から６のいずれかに記載の眼鏡フレームの支持具。
【請求項９】
請求項１から８のいずれかに記載の前記眼鏡フレームの支持具を用いたことを特徴とする請求項１から８のいずれかに記載の眼鏡フレーム。
【発明の詳細な説明】
【０００１】
【発明の属する技術分野】
本発明は、眼鏡フレームの支持具およびその支持具を用いた眼鏡フレームに関する。
【０００２】
【従来の技術】
一般的な眼鏡フレームは、クリングスと呼ばれる支持具の先端に鼻当てパットを取り付けた一対の支持具により、利用者の鼻の側面で支持されている。この支持具は利用者の鼻の側面に接するものであり、眼鏡フレームの支持具は着用感に大きく影響する。このため、従来から、様々な技術的改良が施されてきた。また、眼鏡フレームの支持具は利用者の顔面のほぼ中央に位置するため、美観上の影響も大きい。
【０００３】
一例としては、ブリッジの端部に設けられた支持軸と、この支持軸に回転可能に取り付けられた鼻当て部材とを有する眼鏡フレームの鼻当て具が知られている（例えば、特許文献１参照。）
【０００４】
【特許文献１】
特開平７−２３９４５６号公報（第３頁、第６図）
【０００５】
【発明が解決しようとする課題】
眼鏡フレームの支持具は利用者の鼻の側面に接するものであるから、着用感が良好であり安全であることが重要である。また、美観上も優れていることが重要視される。
鼻の形は個人差が大きいため、快適な着用感を実現するためには、利用者の鼻に合わせて鼻当てパットの位置等を調整することが望ましいが、従来の支持具では、調整技術者の調整力が着用感を大きく左右する。
また、利用者の顔に合わせて、鼻当てパットの位置調整が十分に行えるようにすると、フレームの支持具を大きく傾斜させることにもなってしまい、美観を損なってしまうという問題があった。
【０００６】
そこで、本発明は、利用者の顔に合わせて鼻当てパットの位置調整を十分に行うことが可能で安全性も向上した、外観上目立ちにくい眼鏡フレームの支持具を提供することを目的とする。
【０００７】
【課題を解決するための手段】
上記課題を解決するため、第１の発明は、眼鏡フレームを鼻に支持する支持具であって、眼鏡フレームに固定された２本の支持腕と、前記支持腕の先端に装着された鼻当てパットとを備え、前記２本の支持腕は、前記固定部と前記鼻当てパットとの間において互いに交差する交差箇所を有することを特徴とする。
【０００８】
上記の第１の発明によれば、２本の支持腕が交差し、交差箇所の先に鼻当てパットが装着されているので、交差箇所から先の部分に取り付けられた鼻当てパットが利用者の鼻に接することで、眼鏡フレームを確実に支持することができる。そして、支持腕を変形させて交差箇所の位置を変化させて、それぞれ２本の支持腕に装着された２個の鼻当てパットの間隔を変化させることにより、利用者の鼻の尾根部に対する眼鏡フレームの位置を、上下方向に容易に変化させることができる。また、部品としての鼻当てパットを有する２本の支持腕をフレームに固定するだけで眼鏡フレームに容易に取り付けることができる。
また、小型で目立たない外観を有し、眼鏡フレームのデザインを損なうことがなく、しかも利用者の顔に合わせて支持位置を容易に調整することが可能である。
【０００９】
第２の発明は、第１の発明の眼鏡フレームの支持具において、前記２本の支持腕は、それぞれ、前記固定部と前記交差箇所との間に、少なくとも１以上の屈曲部を有することを特徴とする。
【００１０】
上記の第２の発明によれば、２本の支持腕が、固定部と交差箇所との間で屈曲しているので、各屈曲部の角度または各屈曲部間の幅を変化させることにより、顔と眼鏡フレームとの距離を変化させることができる。従って、眼鏡フレームの位置を利用者の顔に合わせて容易に調整することができる。また、屈曲部において支持腕に弾力性を持たせることで、利用者が眼鏡を着用した状態で眼鏡フレームに外力が加わった場合に、利用者の鼻のへの荷重を軽減することができ、着用中の安全性を向上させると共に不快感を軽減することができる。
【００１１】
第３の発明は、第１または第２の発明の眼鏡フレームの支持具において、前記２本の支持腕は、互いに離隔した位置において前記フレームに立設されたことを特徴とする。
【００１２】
上記の第３の発明によれば、２本の支持腕が、互いに離れた位置でそれぞれ前記フレームに固定されることを特徴とする。従って、フレーム上に支持腕を取り付けるためのわずかなスペースが２カ所あれば、支持具を取り付けることができる。従って、支持具を様々なデザインのフレームに取り付けることができる。
【００１３】
第４の発明は、第１または第２の発明の眼鏡フレームの支持具において、前記眼鏡フレームのブリッジに取り付けられる台座を備え、前記２本の支持腕は、それぞれ、前記台座に固定されたことを特徴とする。
【００１４】
上記の第４の発明によれば、フレームのブリッジに台座を有する支持具を取り付け可能であり、ブリッジを有する眼鏡フレームであれば、如何なる眼鏡フレームにも支持具を取り付けることができる。従って、眼鏡フレームのデザインの自由度を向上させ、従来は不可能であった様々なデザインの眼鏡フレームを実現できる。
【００１５】
第５の発明は、第１から第４のいずれかの発明の眼鏡フレームの支持具において、前記２本の支持腕は形状記憶合金であることを特徴とする。
【００１６】
上記の第５の発明によれば、２本の支持腕が形状記憶合金であるので、利用者の顔に合わせて支持具の位置の調整を行いその形状を記憶させれば、何らかの外力により支持腕が変形してしまっても、容易に、最適な状態に復元される。従って、利用者の顔に合わせて最適に調整された状態を保つことが可能な眼鏡フレームを実現できる。
【００１７】
第６の発明は、第１から第４のいずれかの発明の眼鏡フレームの支持具において、前記２本の支持腕は形状記憶樹脂であることを特徴とする。
【００１８】
上記の第６の発明によれば、２本の支持腕が形状記憶樹脂であるので、利用者の顔に合わせて支持具の位置の調整を行いその形状を記憶させれば、何らかの外力により支持腕が変形してしまっても、容易に、最適な状態に復元される。従って、利用者の顔に合わせて最適に調整された状態を保つことが可能な眼鏡フレームを実現できる。また、形状記憶樹脂は非常に軽量であるため、良好な装着感を実現できる。
【００１９】
第７の発明は、第１から第６のいずれかの発明の眼鏡フレームの支持具において、前記２本の支持腕のうち一方の前記支持腕は、前記交差箇所において凹状に屈曲する嵌合部を有し、他方の前記支持腕は、前記交差箇所において前記嵌合部に嵌め込まれたことを特徴とする。
【００２０】
上記の第７の発明によれば、交差箇所において一方の支持腕が他方の支持腕に嵌め込まれるので、外力が加わっても交差箇所の位置がずれない。従って、調整された状態を保持し、利用者の顔に合った最適な状態を保つことができ、常に快適な装着感を得ることができる。さらに、部材の追加等を行わないので、支持具の重量増加を伴わずに交差箇所のずれを防止できる。
【００２１】
第８の発明は、第１から第６のいずれかの発明の眼鏡フレームの支持具において、前記２本の支持腕は、前記交差箇所において、一方の前記支持腕に開けられた孔に他方の支持腕が貫通するように形成されることを特徴とする。
【００２２】
第８の発明によれば、交差箇所において２本の支持腕の間の距離が一定に保たれるので、外力が加わっても交差箇所の位置がずれない。従って、調整された状態を保持し、利用者の顔に合った最適な状態を保つことができ、常に快適な装着感を得ることができる。さらに、部材の追加等を行わないので、支持具の重量増加を伴わずに交差箇所のずれを防止できる。
【００２３】
第９の発明は、第１から第８のいずれかの発明の眼鏡フレームの支持具を眼鏡フレームに用いたことを特徴とする。
【００２４】
上記の第９の発明によれば、上記の支持具を眼鏡フレームのリムまたはブリッジに容易に固定することができる。従って、眼鏡フレームのデザインの自由度を向上させ、従来は不可能であった様々なデザインの眼鏡フレームを実現できる。
【００２５】
【発明の実施の形態】
以下、図面を参照して本発明の実施の形態について説明する。
実施の形態１．
図１は、本発明の第１の実施の形態における支持具１を取り付けた眼鏡フレームの裏面図、すなわち利用者の顔に対応する面を示す。図２は、支持具１を取り付けた眼鏡フレームを上から見た上面図である。図３は、図１の要部拡大図である。図４は図２の要部拡大図であり、図中の一点鎖線は利用者の鼻の断面形状９を示す。また、図５は、支持具１が有する支持腕１１の取り付状態を示す側面図である。なお、図１〜図５の各図においては、説明の便宜のため、眼鏡のテンプル、蝶番等の図示を省略する。
【００２６】
支持具１は、眼鏡が利用者の顔に対して一定の位置を保つように眼鏡フレームを支持するものであり、図１および図２に示すように、支持具１は、眼鏡フレームのリム７とブリッジ８との接合部の近傍に取り付けられる。
【００２７】
図３および図４に拡大して示すように、支持具１は、リム７に取り付けられた２本の支持腕１１ａ，１１ｂと、各支持腕１１ａ，１１ｂの先端に取り付けられた２個の鼻当てパット１５ａ，１５ｂとで構成される。
支持腕１１ａ，１１ｂは、弾性を有するとともに、形状を記憶する形状記憶樹脂の成型部品の線材であり、金属製または樹脂製のリム７に対し、その部品を装着するための台座を溶接や接着、あるいは直接部品をねじ込む（埋め込む）等の手段により固定される。
【００２８】
支持腕１１ａは利用者の左目側のリム７ａに固定され、支持腕１１ｂは利用者の右目側のリム７ｂに固定される。支持腕１１ａ，１１ｂは、固定部から下方に向けて折れ曲がり、さらに上方に向けて曲がっている。ここで、支持腕１１ａ，１１ｂが上方に向けて曲がる箇所を、それぞれ第１の屈曲部１２ａ，１２ｂとする。
第１の屈曲部１２ａ，１２ｂより先において、支持腕１１ａ，１１ｂは、さらに下方に折れ曲がる。ここで支持腕１１ａ，１１ｂが下方に向けて曲がる箇所を、それぞれ第２の屈曲部１３ａ，１３ｂとする。
第２の屈曲部１３ａ，１３ｂより先において、支持腕１１ａ，１１ｂは互いに交差する。支持腕１１ａ，１１ｂが交差する部分を交差箇所１４とする。
交差箇所１４より先において、支持腕１１ａ，１１ｂはそれぞれ直線状に延び、先端にはそれぞれ鼻当てパット１５ａ，１５ｂが取り付けられる。鼻当てパット１５ａ，１５ｂは円盤状または楕円状の柔軟性を有する材料で形成される鼻当てパットである。
【００２９】
図５に示すように、支持具１を側面から見ると、支持腕１１ａは、第１の屈曲部１２ａでＵ字形に屈曲した形状となっており、第２の屈曲部１３ａで逆Ｕ字形に屈曲した形状となっている。また、支持腕１１ｂについても、図５に示す支持腕１１ａと同様に屈曲した形状となっている。
【００３０】
支持具１が取り付けられた眼鏡を利用者が着用した場合、図４に示すように、支持腕１１ａ，１１ｂの交差箇所１４の先に取り付けられた鼻当てパット１５ａ，１５ｂが利用者の鼻の尾根部を挟み込むことにより、眼鏡フレームが支持される。
【００３１】
以上のように構成される支持具１は、利用者の顔に合わせて調整を行うことができる。すなわち、支持腕１１ａの第２の屈曲部１３ａと，支持腕１２の第２の屈曲部１３ｂとの間隔Ａを縮めると、２個の鼻当てパット１５ａ，１５ｂの間隔Ｂは広くなる。逆に、間隔Ａを拡げると、間隔Ｂは狭くなる。支持腕１１ａの第１の屈曲部１２ａと，支持腕１１ｂの第１の屈曲部１２ｂとの間隔Ｃについても同様である。
また、支持腕１１ａの第１の屈曲部１２ａおよび／または第２の屈曲部１３ａの曲率を変えることによっても、２個の鼻当てパット１５ａ，１５ｂの間隔Ｂを変えることができる。支持腕１１ｂについても同様である。
【００３２】
人の鼻は、下方に行くほど幅が広くなっていくので、２個の鼻当てパット１５ａ，１５ｂの間隔Ｂが広いほど、眼鏡フレームは鼻の下の方で支持される。また、間隔Ｂを狭くするほど、眼鏡フレームは鼻の上の方で支持される。
従って、第１の屈曲部１２ａ，１２ｂの間隔Ｃおよび第２の屈曲部１３ａ，１３ｂの間隔Ａを変化させることにより、利用者の眼鏡フレームの支持位置を、上下方向に容易に変化させることができる。
【００３３】
さらに、図５に示すように、支持腕１１ａにおいて、第１の屈曲部１２ａと第２の屈曲部１３ａとの間隔Ｄを拡げると、鼻当てパット１５ａとリム７ａとの間隔が広くなる。逆に、間隔Ｄを縮めると鼻当てパット１５ａとリム７ａとの間隔が狭くなる。支持腕１１ｂについても同様に、第１の屈曲部１２ｂと第２の屈曲部１３ｂとの間隔を拡大または縮小させることで、鼻当てパット１５ｂとリム７ｂとの間隔が拡大または縮小する。
【００３４】
従って、支持腕１１ａの第１の屈曲部１２ａと第２の屈曲部１３ａとの間隔Ｄを変化させることにより、リム７と利用者の顔面との間隔を変化させることが可能となる。支持腕１１ｂについても同様である。このため、眼鏡フレームと利用者の眼との間隔を容易に調整することができる。
【００３５】
また、鼻当てパット１５ａ，１５ｂをリム７に押し付ける方向の力が加わった場合、支持腕１１ａ，１１ｂは、第１の屈曲部１２ａ，１２ｂおよび第２の屈曲部１３ａ，１３ｂで弾性変形する。従って、眼鏡が利用者の鼻の側面に押し付けられるような力が加わった場合に、支持腕１１ａ，１１ｂが弾性変形することで利用者の鼻にかかる力を軽減することができるので、着用時の安全性の向上と不快感を軽減することができる。
【００３６】
さらに、支持具１は、鼻当てパット１５ａ，１５ｂを備えた線状の支持腕１１ａ，１１ｂにより構成されるので、小型で目立たない外観を有し、フレームのデザインを損なうことが無い。また、支持具１を眼鏡に取り付ける際には、支持腕１１ａ，１１ｂをフレームに取り付けるだけで良い。従って、支持具１を様々なデザインの眼鏡に取り付けることが可能であり、フレームのデザインの自由度を高めることができる。
【００３７】
なお、支持腕１１ａ，１１ｂに形状記憶樹脂を用いると、利用者の顔に対する眼鏡の位置を自由に修正できる。
すなわち、支持腕１１ａ，１１ｂを加熱し、間隔Ａ、間隔Ｃおよび間隔Ｄを利用者の鼻に合わせて調整することで、支持腕１１ａ，１１ｂは、間隔Ａ、間隔Ｃおよび間隔Ｄが最適になる状態を記憶する。その後、利用者が誤って支持腕１１ａ，１１ｂに過度の熱を加えて変形させてしまい、間隔Ａ、間隔Ｃおよび間隔Ｄが最適な状態から変わってしまった場合は、支持腕１１ａ，１１ｂを再度加熱するだけで最適な状態に復元できる。
【００３８】
また、上記第１の実施の形態において、支持腕１１ａ，１１ｂはリム７に取り付けられるものとして説明したが、本発明はこれに限定されるものではなく、ブリッジ８に取り付けられるようにしても良い。また、眼鏡フレームのリム７、ブリッジ８および図示を省略した部分は、金属製であっても樹脂製であっても良く、その材料やデザインは特に限定されない。また、支持腕１１ａ，１１ｂは、形状記憶樹脂の線材として説明したが、形状記憶合金の線材に樹脂製の被覆を有するものであっても良いし、着色やメッキ等が施されていても良い。さらに、鼻当てパット１５ａ，１５ｂについては、利用者の鼻に接しても問題の無いものであれば良く、その形状や材料は特に限定されず、その他の細部構成についても適宜変更可能である。
【００３９】
実施の形態２．
図６は、本発明の第２の実施の形態における支持具２を取り付けた眼鏡フレームの裏面図、すなわち利用者の顔に対応する面を示す。図７は、支持具２を取り付けた眼鏡フレームを上から見た上面図である。図８は、図６の要部拡大図である。図９は図７の要部拡大図であり、図中の一点鎖線は利用者の鼻の断面形状９を示す。なお、図６〜図９の各図においては、説明の便宜のため、眼鏡のテンプル、蝶番等の図示を省略する。
【００４０】
支持具２は、図６および図７に示すように、眼鏡のブリッジ８のほぼ中央に取り付けられる。
図８および図９に拡大して示すように、支持具２は、ブリッジ８に設けられた台座２１と、台座２１に固定された２本の支持腕２２ａ，２２ｂと、支持腕２２ａ，２２ｂの先端にそれぞれ装着された２個の鼻当てパット２４ａ，２４ｂとで構成される。
【００４１】
台座２１は、ブリッジ８の裏面に溶接、接着または埋込等により固定される金属片または樹脂片である。
支持腕２２ａ，２２ｂは、弾性を有するとともに、形状を記憶する形状記憶樹脂の成型部品の線材であり、その部品を装着するための台座２１を溶接や接着、あるいは直接部品をねじ込む（埋め込む）等の手段により固定される。なお、台座２１と支持腕２２ａ，２２ｂとを樹脂で１個の部材として形成しても良い。
【００４２】
支持腕２２ａは、台座２１の左端部に固定され、支持腕２３は、台座２１の右端部に固定される。すなわち、台座２１の左右の端から支持腕２２ａ，２２ｂが延びる形状となる。
支持腕２２ａは、固定部から所定距離だけ左へ向かって直線状に延び、右下方へ折れ曲がる。ここで、支持腕２２ａが曲がる箇所を屈曲部２３ａとする。一方、支持腕２３ｂは、固定部から所定距離だけ右へ向かって直線状に延び、左下方へ折れ曲がる。ここで、支持腕２２ｂが曲がる箇所を屈曲部２３ｂとする。
【００４３】
そして、支持腕２２ａの屈曲部２３ａから先の部分と、支持腕２２ｂの屈曲部２３ｂから先の部分とは、ほぼ直線状に延びて交差する。この支持腕２２ａと支持腕２２ｂとが交差する箇所を交差箇所２５とする。交差箇所２５の先において、支持腕２２ａ，２２ｂはほぼ直線状に延び、先端にはそれぞれ鼻当てパット２４ａ，２４ｂが装着されている。鼻当てパット２４ａ，２４ｂは円盤状の柔軟な鼻当てパットである。
【００４４】
支持具２が取り付けられた眼鏡を利用者が着用した場合、支持腕２２ａ，２２ｂの先端に取り付けられた鼻当てパット２４ａ，２４ｂが利用者の鼻の尾根部に接することで眼鏡フレームが支持される。
【００４５】
以上のように構成される支持具２は、利用者の顔に合わせて調整を行うことができる。屈曲部２２ａ，２２ｂの間隔を変化させることにより、または各支持腕２２ａの屈曲部２３ａと支持腕２２ｂの屈曲部２３ｂの曲率を変えることによって、鼻当てパット２４ａ，２４ｂの間隔Ｆを拡げまたは狭くすることができる。
【００４６】
２個の鼻当てパット２４ａ，２４ｂの間隔Ｆが広いほど、眼鏡フレームは顔の下方で支持され、間隔Ｆを狭くするほど眼鏡フレームは顔の上方で支持される。従って、屈曲部２２ａ、２３ａの間隔を変化させ、または屈曲部２３ａ、２３ｂの曲率を変化させることにより、利用者の顔に対する眼鏡フレームの支持位置を、上下方向に調整することができる。
【００４７】
さらに、支持腕２２ａ，２２ｂの各屈曲部２３ａ，２３ｂを図９の紙面に向けて垂直に変化させることによって、鼻当てパット２４ａ，２４ｂの位置を利用者の鼻の尾根伝いに上下に調整することができる。
【００４８】
さらに、支持具２は、小型で目立たない外観を有するので、フレームのデザインを損なうことが無い。また、支持具２をブリッジ８に取り付ける際には、ブリッジ８に台座２１を固定するだけで良い。従って、支持具２を様々なデザインの眼鏡フレームに取り付けることが可能であり、フレームのデザインの自由度を高めることができる。
【００４９】
なお、支持腕２２ａ，２２ｂに形状記憶樹脂を用いると、利用者の顔に対する眼鏡の位置を自由に修正できる。
すなわち、加熱して間隔Ｅまたは屈曲部２３ａ，２３ｂの角度および支持腕２２ａ，２２ｂを調整すれば、支持腕２２ａ，２２ｂは、間隔Ｅが最適になる状態を記憶する。その後、利用者が誤って支持腕２２ａ，２２ｂに過度の熱を加えて変形させてしまい、間隔Ｅが変わってしまった場合は、支持腕２２ａ，２２ｂを再度加温するだけで、最適な状態に復元できる。
【００５０】
また、鼻当てパット２４ａ，２４ｂに押す力が加わった場合、支持腕２２ａ，２２ｂは、屈曲部２３ａ，２３ｂで弾性変形する。従って、眼鏡が利用者の鼻の側面に押し付けられるような力が加わった場合に、支持腕２２ａ，２２ｂが弾性変形することで利用者の鼻の側面への力を軽減することができるので、安全性が向上し着用時の不快感を軽減することができる。
【００５１】
なお、上記第２の実施の形態において、眼鏡フレームのリム７ａ，７ｂ、ブリッジ８および図示を省略した部分は、金属製であっても樹脂製であっても良く、その材料やデザインは特に限定されない。また、支持腕２２ａ，２２ｂは形状記憶樹脂の線材として説明したが、形状記憶合金の線材に樹脂製の被覆を有するものであっても良いし、着色やメッキ等が施されていても良い。さらに、鼻当てパット２４ａ，２４ｂについては、利用者の鼻に接しても問題の無いものであれば良く、その形状や材料は特に限定されず、その他の細部構成についても適宜変更可能である。
【００５２】
実施の形態３．
図１０は、本発明の第３の実施の形態における支持具３を取り付けた眼鏡フレームの要部の裏面を示す図であり、図１１は、支持具３を取り付けた眼鏡フレームを上から見た要部上面図である。図１０および図１１においては、説明の便宜のため、眼鏡フレームの要部のみを図示する。図中の一点鎖線は利用者の鼻の断面形状９を示す。
【００５３】
図１０および図１１に示す支持具３は、上記第１の実施の形態における支持具１において、一方の支持腕に嵌合部３６を形成したものである。
すなわち、支持腕３１ａ，３１ｂは、支持腕３１ａに嵌合部３６を設けた点を除いては、それぞれ支持腕１１ａ，１１ｂと同様の構成であり、支持腕３１ａ，３１ｂおよび第２の屈曲部３３ａ，３３ｂにおいて屈曲し、交差箇所３４において交差する。さらに、鼻当てパット３５ａ，３５ｂは、それぞれ鼻当てパット１５ａ，１５ｂと同一のものである。
【００５４】
嵌合部３６は、交差箇所３４において支持腕３１ａを凹状に屈曲させることで形成される。嵌合部３６の凹状部分には支持腕３１ｂが嵌め込まれており、支持腕３１ｂの周囲に支持腕３１ａが巻き付けられた形状となる。
【００５５】
支持具３の構成によれば、交差箇所３４において支持腕３１ａと支持腕３１ｂとが互いに保持されるため、交差箇所３４の位置がずれない。交差箇所３４の位置がずれると２個の鼻当てパット３５ａ，３５ｂの間隔が変わってしまうので、利用者の顔面における眼鏡フレームの位置が上下にずれてしまう。これでは、装着感が悪くなり、視力矯正の面からも好ましくない。しかし、支持具３を用いれば、交差箇所３４の位置がずれないので、鼻当てパット３５ａ，３５ｂの間隔を最適な状態に保持できる。従って、上記第１の実施の形態で得られる効果に加えて、支持具３は、利用者の顔に合った最適な状態を長期に渡って保つことができ、常に快適な装着感を得ることができる。
さらに、嵌合部３６は、支持腕３１ａの一部に曲げ加工を施すことで容易に形成することができるので、部材の追加が不要であり、重量増加に伴う装着感の悪化を防止し、眼鏡フレームの製造コストの増加を招くことがない。
【００５６】
実施の形態４．
図１２は、本発明の第４の実施の形態における支持具４を取り付けた眼鏡フレームの要部の裏面を示す図であり、図１３は、支持具４を取り付けた眼鏡フレームを上から見た要部上面図である。図１２および図１３においては、説明の便宜のため、眼鏡フレームの要部のみを図示する。図中の一点鎖線は利用者の鼻の断面形状９を示す。
【００５７】
図１２および図１３に示す支持具４は、上記第１の実施の形態における支持具１において、リング４６を設けたものである。
すなわち、支持腕４１ａ，４１ｂは、支持腕４１ａにリング４６を設けた点を除いては支持腕１１ａ，１１ｂと同様に構成され、第１の屈曲部４２ａ，４２ｂおよび第２の屈曲部４３ａ，４３ｂにおいて屈曲し、交差箇所４４において交差する。さらに、鼻当てパット４５ａ，４５ｂはそれぞれ鼻当てパット１５ａ，１５ｂと同一のものである。
【００５８】
リング４６は、交差箇所４４において支持腕４１ａの側面を貫通する孔を穿設することで形成される。支持腕４１ｂは、交差箇所４４においてリング４６の孔を貫通している。
【００５９】
支持具４の構成によれば、交差箇所４４において支持腕４１ａと支持腕４１ｂとが互いに保持され、交差箇所４４の位置がずれないので、鼻当てパット４５ａ，４５ｂの間隔が、利用者の顔に合った最適な状態で保持される。従って、上記第１の実施の形態で得られる効果に加えて、支持具４は、利用者の顔に合った最適な状態を長期に渡って保つことができるので、常に快適な装着感を得ることができる。さらに、支持腕４１ａの一部に孔を穿設してリング４６を形成するだけで良いので、部材の追加等に伴う重量増加やコストの増加は極めて小さく、容易に実現可能である。
【００６０】
なお、支持腕４１ａが形状記憶合金等の金属製の線材により構成される場合、支持腕４１ａを交差箇所４４に相当する位置において切断し、切断箇所に、予め製作された輪状の部材を溶接することによって実現可能である。また、支持腕４１ａが形状記憶樹脂等の樹脂製である場合は、リング４６を他の部分と同時に成形加工することが可能である。
【００６１】
実施の形態５．
図１４は、本発明の第５の実施の形態における支持具５を取り付けた眼鏡フレームの要部の裏面を示す図であり、図１５は、支持具５を取り付けた眼鏡フレームを上から見た要部上面図である。図１４および図１５においては、説明の便宜のため、眼鏡フレームの要部のみを図示する。図中の一点鎖線は利用者の鼻の断面形状９を示す。
【００６２】
図１４および図１５に示す支持具５は、上記第２の実施の形態における支持具２において、嵌合部５６を形成したものである。
すなわち、支持腕５２ａ，５２ｂは、支持腕５２ａに嵌合部５６を設けた点を除いては支持腕２２ａ，２２ｂと同様の構成であり、それぞれ台座５１に立設され、屈曲部５３ａ，５３ｂにおいて屈曲し、交差箇所５５で交差する。さらに、台座５１および鼻当てパット５４ａ，５４ｂは、それぞれ台座２１および鼻当てパット２４ａ，２４ｂと同一のものである。
【００６３】
嵌合部５６は、交差箇所５５において支持腕５２ａを凹状に屈曲させることで形成される。嵌合部５６の凹状部分には支持腕５２ｂが嵌め込まれており、支持腕５２ｂの周囲に支持腕５２ａが巻き付けられた形状となる。
【００６４】
支持具５の構成によれば、交差箇所５５において支持腕５２ａと支持腕５２ｂとが互いに保持され、交差箇所５５の位置がずれないので、鼻当てパット５４ａ，５４ｂの間隔を最適な状態に保持することができる。従って、上記第２の実施の形態で得られる効果に加えて、支持具５は、利用者の顔に合った最適な状態を長期に渡って保つことができ、常に快適な装着感を得ることができる。さらに、嵌合部５６は、支持腕５２ａの一部に曲げ加工を施すことで容易に形成することができるので、部材の追加が不要であり、重量増加に伴う装着感の悪化を防止し、眼鏡フレームの製造コストの増加を招くことがない。
【００６５】
実施の形態６．
図１６は、本発明の第６の実施の形態における支持具６を取り付けた眼鏡フレームの要部の裏面を示す図であり、図１７は、支持具６を取り付けた眼鏡フレームを上から見た要部上面図である。図１６および図１７においては、説明の便宜のため、眼鏡フレームの要部のみを図示する。図中の一点鎖線は利用者の鼻の断面形状９を示す。
【００６６】
図１６および図１７に示す支持具６は、上記第２の実施の形態における支持具２において、リング６６を設けたものである。
すなわち、支持腕６２ａ，６２ｂは、リング６６を設けた点を除いては支持腕２２ａ，２２ｂと同様の構成であり、それぞれ台座６１に立設され、屈曲部６３ａ，６３ｂにおいて屈曲し、交差箇所６５において交差する。さらに、台座６１および鼻当てパット６４ａ，６４ｂは、それぞれ台座２１および鼻当てパット２４ａ，２４ｂと同一である。
【００６７】
リング６６は、交差箇所６５において支持腕６２ａの側面を貫通する孔を穿設することで形成される。支持腕６２ｂは、交差箇所６５においてリング６６の孔を貫通している。
【００６８】
支持具６の構成によれば、交差箇所６５において、支持腕６２ｂがリング６６の穴を貫通することによって支持腕６２ａと支持腕６２ｂとが互いに保持されるため、交差箇所６５の位置がずれない。従って、上記第２の実施の形態で得られる効果に加えて、支持具６は、鼻当てパット６４ａ，６４ｂの間隔が最適な状態に保持するので、常に快適な装着感を得ることができる。さらに、支持腕６２ａの一部に孔を穿設してリング６６を形成するだけで良いので、部材の追加等に伴う重量増加やコストの増加は極めて小さく、容易に実現可能である。
【００６９】
なお、支持具６１ａが形状記憶合金等の金属製の線材により構成される場合、支持具６１ａを交差箇所６５に相当する位置において切断し、切断箇所に、予め製作された輪状の部材を溶接することによって実現可能である。また、支持腕６１ａが、形状記憶樹脂等の樹脂製である場合は、リング６６を他の部分と同時に成形加工することが可能である。
【００７０】
【発明の効果】
本発明によれば、支持腕を中心としたシンプルで目立たない構成の支持具において、支持腕を変形させることによって、利用者の眼と眼鏡フレームとの間の距離、および、利用者の鼻の尾根部に対する眼鏡フレームの位置を容易に変化させることで、利用者の顔における眼鏡フレームの位置を容易に調整することが可能である。また、支持腕の屈曲効果により安全性が向上する。
【図面の簡単な説明】
【図１】本発明の第１の実施の形態における支持具１を取り付けた眼鏡フレームの裏面図である。
【図２】図１に示す眼鏡フレームの上面図である。
【図３】図１の要部拡大図である。
【図４】図２の要部拡大図である。
【図５】図３に示す支持腕１１の取付状態を示す側面図である。
【図６】本発明の第２の実施の形態における支持具２を取り付けた眼鏡フレームの裏面図である。
【図７】図６に示す眼鏡フレームの上面図である。
【図８】図６の要部拡大図である。
【図９】図７の要部拡大図である。
【図１０】本発明の第３の実施の形態における支持具３を取り付けた眼鏡フレームの要部の裏面を示す図である。
【図１１】図１０に示す眼鏡フレームの要部上面図である。
【図１２】本発明の第４の実施の形態における支持具４を取り付けた眼鏡フレームの要部の裏面を示す図である。
【図１３】図１２に示す眼鏡フレームの要部上面図である。
【図１４】本発明の第５の実施の形態における支持具５を取り付けた眼鏡フレームの要部の裏面を示す図である。
【図１５】図１４に示す眼鏡フレームの要部上面図である。
【図１６】本発明の第６の実施の形態における支持具６を取り付けた眼鏡フレームの要部の裏面を示す図である。
【図１７】図１６に示す眼鏡フレームの要部上面図である。
【符号の説明】
１，２，３，４，５，６…支持具
７…リム
８…ブリッジ
１１ａ，１１ｂ，２２ａ，２２ｂ，３１ａ，３１ｂ，４１ａ，４１ｂ，５２ａ，５２ｂ，６２ａ，６２ｂ…支持腕
１２ａ，１２ｂ，３２ａ，３２ｂ，４２ａ，４２ｂ…第１の屈曲部
１３ａ，１３ｂ，３３ａ，３３ｂ，４３ａ，４３ｂ…第２の屈曲部
２３ａ，２３ｂ，５３ａ，５３ｂ，６３ａ，６３ｂ…屈曲部
１５ａ，１５ｂ，２４ａ，２４ｂ，３５ａ，３５ｂ，４５ａ，４５ｂ，５４ａ，５４ｂ，６４ａ，６４ｂ…鼻パット
２１，５１，６１…台座
１４，２５，３４，４４，５５，６５…交差箇所
３６，５６…嵌合部
４６，６６…リング
【図１】
2004151158.tif 000003
【図２】
2004151158.tif 000004
【図３】
2004151158.tif 000005
【図４】
2004151158.tif 000006
【図５】
2004151158.tif 000007
【図６】
2004151158.tif 000008
【図７】
2004151158.tif 000009
【図８】
2004151158.tif 000010
【図９】
2004151158.tif 000011
【図１０】
2004151158.tif 000012
【図１１】
2004151158.tif 000013
【図１２】
2004151158.tif 000014
【図１３】
2004151158.tif 000015
【図１４】
2004151158.tif 000016
【図１５】
2004151158.tif 000017
【図１６】
2004151158.tif 000018
【図１７】
2004151158.tif 000019